(57)【特許請求の範囲】
【請求項１】
それぞれの換気風量が可変に構成され、同一の室内を換気する複数の換気装置（13a,13b,13c）と、
前記各換気装置（13a,13b,13c）の換気風量の合計が室内の換気の必要量となり、且つ該各換気装置（13a,13b,13c）の換気風量が同じになるように前記複数の換気装置（13a,13b,13c）を制御する制御部（12）とを備える一方、
前記各換気装置（13a,13b,13c）は、室外の空気を室内へ供給する給気ファン（326）と、室内の空気を室外へ排出する排気ファン（325）とを備え、
前記制御部（12）は、前記各換気装置（13a,13b,13c）が室内へ供給する室外の空気の流量が同じになり、該各換気装置（13a,13b,13c）が室外へ排出する室内の空気の流量が同じになるように、全ての該換気装置（13a,13b,13c）を制御する
ことを特徴とする換気システム。
【請求項２】
請求項１において、
室内のＣＯ２濃度を検出するＣＯ２検出部（11）を備え、
前記制御部（12）は、前記ＣＯ２検出部（11）によって検出されたＣＯ２濃度に基づいて、全ての前記換気装置（13a,13b,13c）の換気風量を制御する
ことを特徴とする換気システム。
【請求項３】
請求項１において、
室内に存在する人間を感知する人感センサ（20）を備え、
前記制御部（12）は、前記人感センサ（20）によって感知された人間の数に基づいて、全ての前記換気装置（13a,13b,13c）の換気風量を制御する
ことを特徴とする換気システム。
【請求項４】
請求項１乃至３の何れか１つにおいて、
前記各換気装置（13a,13b,13c）は、室外の空気を除湿し又は加湿してから室内へ供給し、室内の空気を室外へ排出する
ことを特徴とする換気システム。
【請求項５】
請求項４において、
前記各換気装置（13a,13b,13c）は、
それぞれが吸着剤を担持する第１吸着熱交換器（351）及び第２吸着熱交換器（352）と圧縮機（353）とを有し、該第１吸着熱交換器（351）が放熱器となって該第２吸着熱交換器（352）が蒸発器となる第１冷凍サイクル動作と、該第２吸着熱交換器（352）が放熱器となって該第１吸着熱交換器（351）が蒸発器となる第２冷凍サイクル動作とを交互に繰り返し行う冷媒回路（350）を備え、
前記第１吸着熱交換器（351）と前記第２吸着熱交換器（352）のうち蒸発器となっている方を室外の空気が、放熱器となっている方を室内の空気がそれぞれ通過する除湿運転と、該第１吸着熱交換器（351）と該第２吸着熱交換器（352）のうち放熱器となっている方を室外の空気が、蒸発器となっている方を室内の空気がそれぞれ通過する加湿運転とを実行可能であり、
前記制御部（12）は、前記各換気装置（13a,13b,13c）の圧縮機の回転速度が同じになるように、全ての該換気装置（13a,13b,13c）を制御する
ことを特徴とする換気システム。
【発明の詳細な説明】
【技術分野】
【０００１】
本発明は、室内を換気する換気装置を複数備えた換気システムに関するものである。
【背景技術】
【０００２】
従来より、特許文献１に示すように、空調機や外気処理機を用いて室内の空気を暖房又は冷房するとともに、室内の空気の除湿又は加湿を行う空調システムが知られている。
【０００３】
この空調システムでは、空調機による暖房運転中又は冷房運転中に、外気処理機によって除湿運転又は加湿運転が行われる。除湿運転では、除湿された室外空気が室内へ供給され、加湿された室内空気が室外へ排出される。一方、加湿運転では、加湿された室外空気が室内へ供給され、除湿された室内空気が室外へ排出される。つまり、外気処理機によって室内の換気も同時に行われている。
【０００４】
外気処理機は、複数の調湿ユニットを備え、各調湿ユニットにはコントローラが設けられている。このコントローラにリモコンなどから目標の湿度が入力されることによって、室内の空気の湿度が目標の湿度となるように、各調湿ユニットが制御される。つまり、特許文献１の空調システムでは、各調湿ユニットは、それぞれに設けられたコントローラによって、独立して調湿動作や換気動作が制御されている。
【先行技術文献】
【特許文献】
【０００５】
【特許文献１】特開２０１０−７８２１７号公報
【発明の概要】
【発明が解決しようとする課題】
【０００６】
ここで、複数の調湿ユニットによってそれぞれ別々の室内を換気する場合には、特許文献１のように各調湿ユニットを独立して制御し、各調湿ユニットの換気風量を個別に設定できることが好ましい。ところが、複数の調湿ユニットによって同一の室内を換気する場合に、各調湿ユニットを独立して制御すると、例えば、各調湿ユニットが同時ではなく順次起動した場合に、各調湿ユニットの換気風量にばらつきが生じうる。
【０００７】
一般に、換気装置などで室内の換気を行う場合、送風に要する動力（例えば、ファンの消費電力）は送風量の概ね３乗に比例することが知られている。つまり、第１の調湿ユニットの換気量が第２の調湿ユニットの換気量の２倍であるとすると、第１の調湿ユニットが送風のために要する動力は、第２の調湿ユニットの約８（＝２３）倍となる。そのため、各調湿ユニットの換気風量の合計が同じであっても、調湿ユニット毎の換気風量の差が大きくなるほど、各調湿ユニットの消費電力の合計は多くなる。すなわち、複数の調湿ユニットによって同一の室内の換気を行う場合に、各調湿ユニットが個別に自己の換気風量を制御すると、空調システム全体の消費電力が増大するおそれがある。
【０００８】
本発明は、かかる点に鑑みてなされたものであり、その目的は、複数の換気装置で同一の室内を換気する換気システムにおいて、消費電力を低減することにある。
【課題を解決するための手段】
【０００９】
第１の発明は、換気システム（10）を対象とする。そして、それぞれの換気風量が可変に構成され、同一の室内を換気する複数の換気装置（13a,13b,13c）と、前記各換気装置（13a,13b,13c）の換気風量の合計が室内の換気の必要量となり、且つ該各換気装置（13a,13b,13c）の換気風量が同じになるように前記複数の換気装置（13a,13b,13c）を制御する制御部（12）とを備える一方、前記各換気装置（13a,13b,13c）は、室外の空気を室内へ供給する給気ファン（326）と、室内の空気を室外へ排出する排気ファン（325）とを備えるものである。
【００１０】
第１の発明では、複数の換気装置（13a,13b,13c）で１つの室内を換気する換気システムにおいて、複数の換気装置（13a,13b,13c）はそれぞれ換気風量の調節が可能となっている。そして、制御部（12）によって、各換気装置（13a,13b,13c）の総換気風量を、室内を換気するために必要な風量にしつつ、各換気装置（13a,13b,13c）の換気風量が均等になるように制御される。
【００１１】
一般に、換気装置の消費電力は、その換気風量の３乗に比例する特性を示すことが知られている。ここで、複数の換気装置の換気風量が、異なる場合と同じである場合とで、これら換気装置の換気風量の合計が同じであり、その合計が、室内を換気するために必要となる風量として、例えば“９”であるとする。
【００１２】
各換気装置の換気風量が異なる場合、これら換気風量の差が大きいほど、各換気装置の消費電力の合計は多くなる。例えば、３台の換気装置で同一の室内を換気する場合、各換気装置の換気風量が“２”，“３”，“４”であるとすると、消費電力の合計は、８＋２７＋６４＝９５に比例する。
【００１３】
一方、第１の発明のように各換気装置（13a,13b,13c）の換気風量が同じである場合、これら換気風量の合計は“９”であるため、各換気装置（13a,13b,13c）の換気風量は“３”となるように制御される。したがって、各換気装置（13a,13b,13c）の消費電力の合計は、２７＋２７＋２７＝８１に比例する。
【００１４】
以上のように、第１の発明によると、複数の換気装置（13a,13b,13c）を用いて１つの室内を換気する場合に、室内の換気に必要な風量を確保することができ、さらに、各換気装置（13a,13b,13c）の換気風量を同じにすることで、換気システム（10）全体の消費電力を低減することができる。
【００１５】
また、第１の発明は、上記の構成に加えて、前記制御部（12）が、前記各換気装置（13a,13b,13c）が室内へ供給する室外の空気の流量が同じになり、該各換気装置（13a,13b,13c）が室外へ排出する室内の空気の流量が同じになるように、全ての該換気装置（13a,13b,13c）を制御するものである。
【００１６】
第１の発明では、制御部（12）によって、各換気装置（13a,13b,13c）が室内へ供給する空気の流量が同じになり、各換気装置（13a,13b,13c）が室外へ排出する空気の流量が同じになるように制御される。尚、室内に供給される空気の流量と、室外に排出される空気の流量とは同じでなくてもよい。
【００１７】
第１の発明は、室内への空気の給気量と、室外への空気の排気量とが異なる場合にも適用可能である。
【００１８】
第２の発明は、上記第１の発明において、室内のＣＯ２濃度を検出するＣＯ２検出部（11）を備えている。そして、前記制御部（12）は、前記ＣＯ２検出部（11）によって検出されたＣＯ２濃度に基づいて、全ての前記換気装置（13a,13b,13c）の換気風量を制御することを特徴とするものである。
【００１９】
第２の発明において、制御部（12）は、ＣＯ２検出部（11）による検出結果である室内のＣＯ２濃度が、例えば所定値以下となるように、全ての換気装置（13a,13b,13c）の換気風量を制御することができる。
【００２０】
ビルや百貨店などの建築物において、衛生的な環境の確保を目的として、衛生環境上必要な事項が定められており、例えば二酸化炭素は、基準値である１０００ｐｐｍ 以下であることが定められている。
【００２１】
第２の発明では、室内のＣＯ２濃度に基づいて、各換気装置（13a,13b,13c）の換気風量が同じになるように制御されるため、室内のＣＯ２濃度を基準値以下に保ちつつ、低消費電力化を図ることができる。
【００２２】
第３の発明は、上記第１の発明において、室内に存在する人間を感知する人感センサ（20）を備え、前記制御部（12）は、前記人感センサ（20）によって感知された人間の数に基づいて、全ての前記換気装置（13a,13b,13c）の換気風量を制御することを特徴とするものである。
【００２３】
第３の発明では、制御部（12）は、人感センサ（20）によって感知された室内の人間の数が多ければ換気風量を大きくし、逆に室内の人間の数が少なければ換気風量を小さくするといった制御が可能となる。
【００２４】
室内には、通常、換気装置の他、室内機などの空調装置も設けられている。ここで、室内の人数にかかわらず換気装置の換気風量を制御する場合、室内の人数が少ないにもかかわらず、過度に換気が行われるおそれがあり、その結果、外気による空調負荷が増大してしまう。つまり、空調装置の消費電力が増大する。
【００２５】
これに対して、第３の発明では、室内の人数が少ない場合に換気風量を小さくする制御が可能であるため、空調装置の消費電力の増大を抑制することができる。
【００２６】
第４の発明は、上記第１乃至３の何れか１つの発明において、前記各換気装置（13a,13b,13c）は、室外の空気を除湿し又は加湿してから室内へ供給し、室内の空気を室外へ排出するものである。
【００２７】
第４の発明では、各換気装置（13a,13b,13c）は、室内の換気を行うとともに、室内の空気の調湿を行うように構成されている。
【００２８】
第４の発明では、低消費電力で室内の換気が可能であるとともに、室内空気の調湿が可能となる。
【００２９】
第５の発明は、上記第４の発明において、前記各換気装置（13a,13b,13c）は、それぞれが吸着剤を担持する第１吸着熱交換器（351）及び第２吸着熱交換器（352）と圧縮機（353）とを有し、該第１吸着熱交換器（351）が放熱器となって該第２吸着熱交換器（352）が蒸発器となる第１冷凍サイクル動作と、該第２吸着熱交換器（352）が放熱器となって該第１吸着熱交換器（351）が蒸発器となる第２冷凍サイクル動作とを交互に繰り返し行う冷媒回路（350）を備え、前記第１吸着熱交換器（351）と前記第２吸着熱交換器（352）のうち蒸発器となっている方を室外の空気が、放熱器となっている方を室内の空気がそれぞれ通過する除湿運転と、該第１吸着熱交換器（351）と該第２吸着熱交換器（352）のうち放熱器となっている方を室外の空気が、蒸発器となっている方を室内の空気がそれぞれ通過する加湿運転とを実行可能であり、前記制御部（12）は、前記各換気装置（13a,13b,13c）の圧縮機（353）の回転速度が同じになるように、全ての該換気装置（13a,13b,13c）を制御することを特徴とするものである。
【００３０】
第５の発明では、各換気装置（13a,13b,13c）は除湿運転と加湿運転とを行うことができる。除湿運転中及び加湿運転中の各換気装置（13a,13b,13c）では、冷媒回路（350）の圧縮機（353）が作動し、冷媒回路（350）が第１冷凍サイクル動作と第２冷凍サイクル動作とを交互に繰り返し行う。放熱器となっている吸着熱交換器（351,352）では、その表面に担持された吸着剤が冷媒によって加熱され、吸着剤から水分が脱離する。吸着剤から脱離した水分は、吸着熱交換器（351,352）を通過する空気に付与される。一方、蒸発器となっている吸着熱交換器（351,352）では、そこを通過する空気中の水分が吸着剤に吸着される。この吸着熱交換器（351,352）を流れる冷媒は、空気中の水分が吸着剤に吸着される際に発生した吸着熱を吸熱して蒸発する。そして、除湿運転中及び加湿運転中の各換気装置（13a,13b,13c）は、各換気装置（13a,13b,13c）における冷媒回路（350）の圧縮機（353）の回転速度が同じになるように制御される。
【００３１】
第５の発明において、各換気装置（13a,13b,13c）の圧縮機（353）が同じ回転速度で作動することで、各換気装置（13a,13b,13c）による空気の除湿能力又は加湿能力が統一されるため、室内空気の除湿又は加湿のむらが抑制される。
【発明の効果】
【００３２】
本発明によれば、複数の換気装置（13a,13b,13c）を用いて同一の室内を換気する場合に、各換気装置（13a,13b,13c）の換気風量を同じにすることで、各換気装置（13a,13b,13c）の消費電力が平均化されるため、各換気装置（13a,13b,13c）の換気風量が異なる場合に比べて、換気システム（10）の消費電力を低減することができる。
【００３３】
また、本発明によれば、各換気装置（13a,13b,13c）の室内への給気量が同じになり、各換気装置（13a,13b,13c）の室外への排気量が同じになるため、各換気装置（13a,13b,13c）の給気量が異なり、且つ排気量が異なる場合に比べて低消費電力化を図ることができる。
【００３４】
また、上記第２の発明によれば、室内のＣＯ２濃度に基づいた換気風量の制御が可能となるため、室内のＣＯ２濃度を基準値以下に抑えつつ、低消費電力化を図ることができる。
【００３５】
また、上記第３の発明によれば、人感センサ（20）の感知結果に基づいた換気風量制御により、室内の人間の数が少ない場合に、各換気装置（13a,13b,13c）の換気風量を小さくすることができる。したがって、換気システム（10）と室内機などの空調装置とが同一の室内にあり、その室内の人数が少ない場合に、外気による空調負荷を低減することができる。
【００３６】
また、上記第４の発明によれば、室外空気が除湿し又は加湿されてから室内に供給されるため、室内空気の調湿が可能となる。
【００３７】
また、上記第５の発明によれば、各換気装置（13a,13b,13c）の除湿運転及び加湿運転において、圧縮機（353）の回転速度が同じになるように制御されるため、各換気装置（13a,13b,13c）の除湿能力又は加湿能力が均一化し、室内空気の除湿又は加湿のむらを抑制することができる。
【図面の簡単な説明】
【００３８】
【図１】図１は、換気システム全体の概略を示す構成図である。
【図２】図２は、実施形態１の換気装置の概略構成を示す斜視図である。
【図３】図３は、実施形態１の換気装置の概略構成を示す平面視、右側面視、及び左側面視の構成図である。
【図４】図４は、冷媒回路の構成を示す配管系統図であって、(Ａ)は第１動作中の動作を示すものであり、(Ｂ)は第２動作中の動作を示すものである。
【図５】図５は、除湿運転の第１動作中における空気の流れを示す換気装置の概略構成図である。
【図６】図６は、除湿運転の第２動作中における空気の流れを示す換気装置の概略構成図である。
【図７】図７は、加湿運転の第１動作中における空気の流れを示す換気装置の概略構成図である。
【図８】図８は、加湿運転の第２動作中における空気の流れを示す換気装置の概略構成図である。
【図９】図９は、実施形態２の換気装置の概略構成図である。
【図１０】図１０は、実施形態３の換気装置の概略構成図である。
【図１１】図１１は、他の実施形態の換気システム全体の概略を示す構成図である。
【発明を実施するための形態】
【００３９】
以下、本発明の実施形態を図面に基づいて詳細に説明する。
【００４０】
《発明の実施形態１》
本発明の実施形態１について説明する。本実施形態の換気システム（10）は１つの室内の換気及び調湿を行うものである。この換気システム（10）は、図１に示すように、同一の室内に、ＣＯ２検出部（11）と、制御ユニット（12）と、３台の換気装置（13a,13b,13c）とを備えている。尚、換気装置の台数は単なる例示である。
【００４１】
ＣＯ２検出部（11）は、制御ユニット（12）と信号線で接続されている。そして、ＣＯ２検出部（11）は、室内のＣＯ２の濃度を検出し、検出した結果を信号線（14）を介して制御ユニット（12）に送信する。
【００４２】
制御ユニット（12）は、各換気装置（13a,13b,13c）と制御線（15）で接続されている。そして、制御ユニット（12）は、ＣＯ２検出部（11）が検出したＣＯ２濃度に基づいて、各換気装置（13a,13b,13c）の換気風量の合計が、室内を換気するために必要な風量となるように制御しつつ、３台の換気装置（13a,13b,13c）の換気風量を一致させるための制御動作を行う。具体的に、制御ユニット（12）は、ＣＯ２濃度に基づいて、各換気装置（13a,13b,13c）の換気風量を示す指令値を導出し、各換気装置（13a,13b,13c）に対して、指令値を出力する。各換気装置（13a,13b,13c）に対する指令値は同じ値である。例えば、制御ユニット（12）は、ＣＯ２濃度が目標値に到達するように換気風量をフィードバック制御することによって適切な指令値を導出してもよい。そして、制御ユニット（12）は、導出した指令値を制御線（15）を介して各換気装置（13a,13b,13c）に送信する。尚、室内の換気に必要となる風量とは、例えば、室内のＣＯ２濃度を基準値である１０００ｐｐｍ以下に保つために必要な風量である。
【００４３】
換気装置（13a）は、コントローラ（21a）を備えており、外気吸込ダクト（16）と、外気供給ダクト（17a）と、内気吸込ダクト（18a）と、内気排出ダクト（19）とに接続されている。換気装置（13b）は、コントローラ（21b）を備えており、外気吸込ダクト（16）と、外気供給ダクト（17b）と、内気吸込ダクト（18b）と、内気排出ダクト（19）とに接続されている。換気装置（13c）は、コントローラ（21c）を備えており、外気吸込ダクト（16）と、外気供給ダクト（17c）と、内気吸込ダクト（18c）と、内気排出ダクト（19）とに接続されている。
【００４４】
外気吸込ダクト（16）は、室外空気（OA）を吸い込んで各換気装置（13a,13b,13c）に流入させるためのダクトである。外気供給ダクト（17a,17b,17c）は、外気吸込ダクト（16）から流入してきた室外空気（OA）を、供給空気（SA）として室内に供給するためのダクトである。内気吸込ダクト（18a,18b,18c）は、室内空気（RA）を吸い込んで各換気装置（13a,13b,13c）に流入させるためのダクトである。内気排出ダクト（19）は、内気吸込ダクト（18a,18b,18c）から流入してきた室内空気（RA）を排出空気（EA）として室外に排出するためのダクトである。
【００４５】
各換気装置（13a,13b,13c）のコントローラ（21a,21b,21c）は、対応する換気装置（13a,13b,13c）の換気風量が、制御ユニット（12）から送信された指令値となるように、対応する換気装置（13a,13b,13c）を制御する。
【００４６】
本実施形態の換気装置の具体的な構成例を図２及び図３に示す。各換気装置（13a,13b,13c）は同様の構成であるため、ここでは、一つの換気装置（13a）の構成について説明する。
【００４７】
〈換気装置の全体構成〉
本実施形態の換気装置（13a）について、図２及び図３を参照しながら説明する。尚、ここでの説明で用いる「上」「下」「左」「右」「前」「後」「手前」「奥」は、特にことわらない限り、換気装置（13a）を前面側から見た場合の方向を意味している。
【００４８】
換気装置（13a）は、ケーシング（311）を備えている。また、ケーシング（311）内には、冷媒回路（350）が収容されている。この冷媒回路（350）には、第１吸着熱交換器（351）、第２吸着熱交換器（352）、圧縮機（353）、四方切換弁（354）、及び電動膨張弁（355）が接続されている。冷媒回路（350）の詳細は後述する。
【００４９】
ケーシング（311）は、やや扁平で高さが比較的低い直方体状に形成されている。このケーシング（311）では、図２における左手前側に前面パネル（312）が、同図における右奥側に背面パネル（313）がそれぞれ立設されている。このケーシング（311）は、前後方向の幅と左右方向の幅とが略同一の長さとなっている。
【００５０】
ケーシング（311）の前面パネル（312）では、左寄りの位置に排気口（321）が、右寄りの位置に給気口（322）がそれぞれ開口している。ケーシング（311）の背面パネル（313）の中央部には、上側寄りの位置に外気吸込口（323）が、下側寄りの位置に内気吸込口（324）がそれぞれ開口している。
【００５１】
ケーシング（311）の内部空間は、前面パネル（312）側の部分と背面パネル（313）側の部分とに区画されている。
【００５２】
ケーシング（311）内における前面パネル（312）側の空間は、左右２つの空間に仕切られている。この左右に仕切られた空間は、左寄りの空間が排気ファン室（335）を、右寄りの空間が給気ファン室（336）をそれぞれ構成している。排気ファン室（335）は、排気口（321）及び内気排出ダクト（19）を介して室外空間と連通している。この排気ファン室（335）には排気ファン（325）が収容されており、排気ファン（325）の吹出口が排気口（321）に接続されている。一方、給気ファン室（336）は、給気口（322）及び外気供給ダクト（17a）を介して室内空間と連通している。この給気ファン室（336）には、給気ファン（326）が収容されており、給気ファン（326）の吹出口が給気口（322）に接続されている。また、給気ファン室（336）には、圧縮機（353）も収容されている。
【００５３】
一方、ケーシング（311）内の背面パネル（313）側の空間は、ケーシング（311）内に立設された第１仕切板（316）及び第２仕切板（317）によって前後３つの空間に仕切られている。これら仕切板（316,317）は、ケーシング（311）の左右方向に延びている。第１仕切板（316）は背面パネル（313）側寄りに、第２仕切板（317）は前面パネル（312）側寄りにそれぞれ配置されている。
【００５４】
ケーシング（311）内において、第１仕切板（316）の奥の空間は上下２つの空間に仕切られており、上側の空間が外気側流路（332）を、下側の空間が内気側流路（334）をそれぞれ構成している。外気側流路（332）は、外気吸込口（323）及び外気吸込ダクト（16）を介して室外空間と連通している。この外気側流路（332）には、ケーシング（311）の左右の内壁に亘って横断するように外気フィルタ（361）が配置されている。この外気フィルタ（361）は、外気吸込口（323）から取り込まれる室外空気中の塵埃を捕集する。内気側流路（334）は内気吸込口（324）及び内気吸込ダクト（18a）を介して室内と連通している。この内気側流路（334）には、ケーシング（311）の左右の内壁に亘って横断するように内気フィルタ（362）が配置されている。この内気フィルタ（362）は、内気吸込口（324）から取り込まれる室内空気中の塵埃を捕集する。
【００５５】
第２仕切板（317）の手前の空間は上下２つの空間に仕切られており、上側の空間が排気側流路（331）を、下側の空間が給気側流路（333）を構成している。排気側流路（331）は、排気ファン室（335）と連通している。給気側流路（333）は、給気ファン室（336）と連通している。
【００５６】
第１仕切板（316）と第２仕切板（317）との間の空間は、更に中央仕切板（318）によって左右２つの空間に仕切られている。そして、中央仕切板（318）の右側の空間が第１熱交換器室（337）を構成し、その左側の空間が第２熱交換器室（338）を構成している。第１熱交換器室（337）には第１吸着熱交換器（351）が、第２熱交換器室（338）には第２吸着熱交換器（352）がそれぞれ収容されている。これら２つの吸着熱交換器（351,352）は、それぞれが収容される熱交換器室（337,338）を左右方向へ横断するように配置されている。
【００５７】
第１仕切板（316）には、開閉式のダンパ（341〜344）が４つ設けられている。具体的に、第１仕切板（316）では、右側の上部に第１ダンパ（341）が、左側の上部に第２ダンパ（342）が、右側の下部に第３ダンパ（343）が、左側の下部に第４ダンパ（344）がそれぞれ取り付けられている。第１ダンパ（341）を開くと、外気側流路（332）と第１熱交換器室（337）が連通する。第２ダンパ（342）を開くと、外気側流路（332）と第２熱交換器室（338）が連通する。第３ダンパ（343）を開くと、内気側流路（334）と第１熱交換器室（337）が連通する。第４ダンパ（344）を開くと、内気側流路（334）と第２熱交換器室（338）が連通する。
【００５８】
第２仕切板（317）には、開閉式のダンパ（345〜348）が４つ設けられている。具体的に、第２仕切板（317）では、右側の上部に第５ダンパ（345）が、左側の上部に第６ダンパ（346）が、右側の下部に第７ダンパ（347）が、左側の下部に第８ダンパ（348）がそれぞれ取り付けられている。第５ダンパ（345）を開くと、排気側流路（331）と第１熱交換器室（337）が連通する。第６ダンパ（346）を開くと、排気側流路（331）と第２熱交換器室（338）が連通する。第７ダンパ（347）を開くと、給気側流路（333）と第１熱交換器室（337）が連通する。第８ダンパ（348）を開くと、給気側流路（333）と第２熱交換器室（338）が連通する。
【００５９】
以上のようにして、ケーシング（311）には、空気通路が形成されている。この空気通路は、外気側流路（332）、各熱交換器室（337,338）、給気側流路（333）、及び給気ファン室（336）までの給気用通路と、内気側流路（334）、各熱交換器室（337,338）、排気側流路（331）、及び排気ファン室（335）までの排気用通路とで構成される（空気の流れについての詳細は後述する）。
【００６０】
〈冷媒回路の構成〉
冷媒回路（350）について、図４を参照しながら説明する。
【００６１】
冷媒回路（350）は、第１吸着熱交換器（351）、第２吸着熱交換器（352）、圧縮機（353）、四方切換弁（354）、及び電動膨張弁（355）が設けられた閉回路である。この冷媒回路（350）は、充填された冷媒を循環させることによって、蒸気圧縮冷凍サイクルを行う。
【００６２】
冷媒回路（350）において、圧縮機（353）は、その吐出側が四方切換弁（354）の第１のポートに、その吸入側が四方切換弁（354）の第２のポートにそれぞれ接続されている。第１吸着熱交換器（351）の一端は、四方切換弁（354）の第３のポートに接続されている。第１吸着熱交換器（351）の他端は、電動膨張弁（355）を介して第２吸着熱交換器（352）の一端に接続されている。第２吸着熱交換器（352）の他端は、四方切換弁（354）の第４のポートに接続されている。
【００６３】
四方切換弁（354）は、第１のポートと第３のポートが連通して第２のポートと第４のポートが連通する第１状態（図４(Ａ)に示す状態）と、第１のポートと第４のポートが連通して第２のポートと第３のポートが連通する第２状態（図４(Ｂ)に示す状態）とに切り換え可能となっている。
【００６４】
第１吸着熱交換器（351）及び第２吸着熱交換器（352）は、何れもクロスフィン型のフィン・アンド・チューブ熱交換器によって構成されている。これら吸着熱交換器（351,352）は、銅製の伝熱管とアルミニウム製のフィンとを備えている。吸着熱交換器（351,352）に設けられた複数のフィンは、それぞれが長方形板状に形成され、一定の間隔で並べられている。また、伝熱管は、各フィンを貫通するように設けられている。
【００６５】
各吸着熱交換器（351,352）では、各フィンの表面に吸着剤が担持されており、フィンの間を通過する空気がフィンに担持された吸着剤と接触する。この吸着剤としては、ゼオライト、シリカゲル、活性炭、親水性の官能基を有する有機高分子材料など、空気中の水蒸気を吸着できるものが用いられる。
【００６６】
〈コントローラの構成〉
本実施形態の各換気装置（13a,13b,13c）のコントローラ（21a,21b,21c）（図１参照）は、例えば、圧縮機制御部と弁制御部とファン制御部とダンパ制御部などで構成される。
【００６７】
ファン制御部は、各換気装置（13a,13b,13c）の実際の換気風量が、制御ユニット（12）から送信された指令値となるように、給気ファン（326）及び排気ファン（325）の回転速度を制御するように構成されている。尚、本実施形態では、制御ユニット（12）は、給気ファン（326）の回転速度を制御するための指令値（以下、給気用指令値と称する。）と、排気ファン（325）の回転速度を制御するための指令値（以下、排気用指令値と称する。）を出力するものとする。これにより、各換気装置（13a,13b,13c）の給気ファン（326）による給気量は同じになり、排気ファン（325）による排気量は同じになる。
【００６８】
圧縮機制御部は、圧縮機（353）の回転速度、すなわち運転周波数を制御するように構成されている。本実施形態では、３台の換気装置（13a,13b,13c）のうちの１台、例えば換気装置（13a）を親機とし、残りの２台、つまり換気装置（13b,13c）を子機とする。そして、親機及び子機における圧縮機制御部はそれぞれ異なる制御動作を行う。これについては後述する。
【００６９】
弁制御部は、四方切換弁（354）を上述した第１状態と第２状態との間で切り替える切替動作を制御するように構成されている。また、弁制御部は、電動膨張弁（355）の動作を制御するように構成されている。
【００７０】
ダンパ制御部は、ダンパ（341〜348）の状態を開状態と閉状態との間で切り換える切換動作を制御するように構成されている。ダンパ制御部は、上述した８個のダンパ（341〜348）の切換動作を個別に制御する。
【００７１】
−運転動作−
本実施形態の換気システム（10）を起動すると、ＣＯ２検出部（11）によって室内のＣＯ２濃度が検出されて、その検出結果が信号線（14）を介して制御ユニット（12）に送信される。そして、制御ユニット（12）は、ＣＯ２濃度に基づいて、各換気装置（13a,13b,13c）の換気風量を一致させるための制御動作を行う。また、制御ユニット（12）は、各換気装置（13a,13b,13c）の圧縮機（353）の運転周波数を一致させるための制御動作を行う。以下、これらについて説明する。
【００７２】
〈換気風量の制御動作〉
制御ユニット（12）は、ＣＯ２検出部（11）からＣＯ２濃度を受けると、そのＣＯ２濃度に応じた、排気用指令値及び給気用指令値を各換気装置（13a,13b,13c）に出力する。尚、各換気装置（13a,13b,13c）に対する給気用指令値は同じ値であり、各換気装置（13a,13b,13c）に対する排気用指令値は同じ値である。また、本実施形態では、各換気装置（13a,13b,13c）に対する給気用指令と排気用指令値とが互いに同じ値となる。尚、場合によっては、これらの値が異なることもありうる。
【００７３】
コントローラ（21a,21b,21c）のファン制御部は、排気ファン（325）の送風量が排気用指令値となるように排気ファン（325）の回転速度を調節するとともに、給気ファン（326）の送風量が給気用指令値となるように給気ファン（326）の回転速度を調節する。
【００７４】
ＣＯ２検出部（11）によって検出されたＣＯ２濃度が所定値よりも高い場合、制御ユニット（12）は給気用指令値及び排気用指令値を増やす。このとき、制御ユニット（12）は、各換気装置（13a,13b,13c）に対する指令値を同じだけ増やす。これにより、各換気装置（13a,13b,13c）の排気ファン（325）及び給気ファン（326）の回転速度が大きくなり、各換気装置（13a,13b,13c）の換気風量が増大するため、室内のＣＯ２濃度を基準値（例えば１０００ｐｐｍ）以下にすることができる。
【００７５】
一方、ＣＯ２濃度が所定値よりも低い場合、制御ユニット（12）は給気用指令値及び排気用指令値を減らす。このとき、制御ユニット（12）は、各換気装置（13a,13b,13c）に対する指令値を同じだけ減らす。尚、所定値は、基準値よりも低く設定されている。
【００７６】
このように、制御ユニット（12）は、各換気装置（13a,13b,13c）に対する指令値を同じに保ちつつ、各換気装置（13a,13b,13c）に対する指令値をＣＯ２検出部（11）の検出結果に応じて調節することができる。
【００７７】
〈圧縮機の制御動作〉
換気システム（10）の起動後、親機である換気装置（13a）において、コントローラ（21a）の圧縮機制御部は、室内空気（RA）の相対湿度が目標値となるように圧縮機（353）の運転周波数を調節する。
【００７８】
制御ユニット（12）は、親機である換気装置（13a）から、その圧縮機（353）の運転周波数を読み込み、その値を運転周波数を制御するための指令値（以下、周波数用指令値と称する。）として、子機である各換気装置（13b,13c）に送信する。
【００７９】
子機である各換気装置（13b,13c）において、それぞれに対応するコントローラ（21b,21c）の圧縮機制御部は、圧縮機（353）の運転周波数を、制御ユニット（12）から送信された周波数用指令値に設定する。これにより、各換気装置（13a,13b,13c）の圧縮機（353）の回転速度が同じになるように制御されるため、後述する、除湿運転における空気の除湿量及び加湿運転における空気の加湿量が統一される。
【００８０】
本実施形態の各換気装置（13a,13b,13c）では、上述した制御動作に加えて、除湿運転と加湿運転とが行われる。除湿運転中や加湿運転中の各換気装置（13a,13b,13c）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の各換気装置（13a,13b,13c）は、室内の換気を行っている。尚、各換気装置（13a,13b,13c）における除湿運転及び加湿運転の動作は同じであるため、以下では換気装置（13a）の除湿運転及び加湿運転の動作について説明する。
【００８１】
〈除湿運転〉
除湿運転中の換気装置（13a）では、排気ファン（325）及び給気ファン（326）が運転される。給気ファン（326）の運転が開始されると、室外空気が外気吸込口（323）からケーシング（311）内へ第１空気として取り込まれる。排気ファン（325）の運転が開始されると、室内空気が内気吸込口（324）からケーシング（311）内へ第２空気として取り込まれる。また、除湿運転中の換気装置（13a）では、第１動作と第２動作が所定の時間間隔（例えば３分間隔）で交互に繰り返される。
【００８２】
除湿運転時の第１動作について説明する。
【００８３】
この第１動作中の冷媒回路（350）では、図４(Ａ)に示すように、四方切換弁（354）が第１状態に設定される。この状態の冷媒回路（350）では、冷媒が循環して冷凍サイクルが行われる（第１冷凍サイクル動作）。その際、冷媒回路（350）では、圧縮機（353）から吐出された冷媒が第１吸着熱交換器（351）、電動膨張弁（355）、第２吸着熱交換器（352）の順に通過し、第１吸着熱交換器（351）が凝縮器（即ち、放熱器）となって第２吸着熱交換器（352）が蒸発器となる。
【００８４】
図５に示すように、この第１動作中には、第２ダンパ（342）、第３ダンパ（343）、第５ダンパ（345）、及び第８ダンパ（348）だけが開状態となり、残りのダンパ（341,344,346,347）が閉状態となる。
【００８５】
外気吸込口（323）から外気側流路（332）へ流入した第１空気は、第２ダンパ（342）を通って第２熱交換器室（338）へ流入し、その後に第２吸着熱交換器（352）を通過する。第２吸着熱交換器（352）では、第１空気中の水分が吸着剤に吸着され、その際に生じた吸着熱が冷媒に吸熱される。第２吸着熱交換器（352）で除湿された第１空気は、第８ダンパ（348）を通って給気側流路（333）へ流入し、給気ファン室（336）を通過後に給気口（322）を通って室内へ供給される。
【００８６】
一方、内気吸込口（324）から内気側流路（334）へ流入した第２空気は、第３ダンパ（343）を通って第１熱交換器室（337）へ流入し、その後に第１吸着熱交換器（351）を通過する。第１吸着熱交換器（351）では、冷媒で加熱された吸着剤から水分が脱離し、この脱離した水分が第２空気に付与される。第１吸着熱交換器（351）で水分を付与された第２空気は、第５ダンパ（345）を通って排気側流路（331）へ流入し、排気ファン室（335）を通過後に排気口（321）を通って室外へ排出される。
【００８７】
除湿運転時の第２動作について説明する。
【００８８】
この第２動作中の冷媒回路（350）では、図４(Ｂ)に示すように、四方切換弁（354）が第２状態に設定される。この状態の冷媒回路（350）では、冷媒が循環して冷凍サイクルが行われる（第２冷凍サイクル動作）。その際、冷媒回路（350）では、圧縮機（353）から吐出された冷媒が第２吸着熱交換器（352）、電動膨張弁（355）、第１吸着熱交換器（351）の順に通過し、第２吸着熱交換器（352）が凝縮器となって第１吸着熱交換器（351）が蒸発器となる。
【００８９】
図６に示すように、この第２動作中には、第１ダンパ（341）、第４ダンパ（344）、第６ダンパ（346）、及び第７ダンパ（347）だけが開状態となり、残りのダンパ（342,343,345,348）が閉状態となる。
【００９０】
外気吸込口（323）から外気側流路（332）へ流入した第１空気は、第１ダンパ（341）を通って第１熱交換器室（337）へ流入し、その後に第１吸着熱交換器（351）を通過する。第１吸着熱交換器（351）では、第１空気中の水分が吸着剤に吸着され、その際に生じた吸着熱が冷媒に吸熱される。第１吸着熱交換器（351）で除湿された第１空気は、第７ダンパ（347）を通って給気側流路（333）へ流入し、給気ファン室（336）を通過後に給気口（322）を通って室内へ供給される。
【００９１】
一方、内気吸込口（324）から内気側流路（334）へ流入した第２空気は、第４ダンパ（344）を通って第２熱交換器室（338）へ流入し、その後に第２吸着熱交換器（352）を通過する。第２吸着熱交換器（352）では、冷媒で加熱された吸着剤から水分が脱離し、この脱離した水分が第２空気に付与される。第２吸着熱交換器（352）で水分を付与された第２空気は、第６ダンパ（346）を通って排気側流路（331）へ流入し、排気ファン室（335）を通過後に排気口（321）を通って室外へ排出される。
【００９２】
〈加湿運転〉
加湿運転中の換気装置（13a）では、給気ファン（326）及び排気ファン（325）が運転される。給気ファン（326）の運転が開始されると、室外空気が外気吸込口（323）からケーシング（311）内へ第２空気として取り込まれる。排気ファン（325）の運転が開始されると、室内空気が内気吸込口（324）からケーシング（311）内へ第１空気として取り込まれる。また、加湿運転中の換気装置（13a）では、第１動作と第２動作とが所定の時間間隔（例えば３分間隔）で交互に繰り返される。
【００９３】
加湿運転時の第１動作について説明する。
【００９４】
この第１動作中の冷媒回路（350）では、図４(Ａ)に示すように、四方切換弁（354）が第１状態に設定される。そして、この冷媒回路（350）では、除湿運転の第１動作中と同様に、第１吸着熱交換器（351）が凝縮器となって第２吸着熱交換器（352）が蒸発器となる。
【００９５】
図７に示すように、この第１動作中には、第１ダンパ（341）、第４ダンパ（344）、第６ダンパ（346）、及び第７ダンパ（347）だけが開状態となり、残りのダンパ（342,343,345,348）が閉状態となる。
【００９６】
内気吸込口（324）から内気側流路（334）へ流入した第１空気は、第４ダンパ（344）を通って第２熱交換器室（338）へ流入し、その後に第２吸着熱交換器（352）を通過する。第２吸着熱交換器（352）では、第１空気中の水分が吸着剤に吸着され、その際に生じた吸着熱が冷媒に吸熱される。第２吸着熱交換器（352）で水分を奪われた第１空気は、第６ダンパ（346）を通って排気側流路（331）へ流入し、排気ファン室（335）を通過後に排気口（321）を通って室外へ排出される。
【００９７】
一方、外気吸込口（323）から外気側流路（332）へ流入した第２空気は、第１ダンパ（341）を通って第１熱交換器室（337）へ流入し、その後に第１吸着熱交換器（351）を通過する。第１吸着熱交換器（351）では、冷媒で加熱された吸着剤から水分が脱離し、この脱離した水分が第２空気に付与される。第１吸着熱交換器（351）で加湿された第２空気は、第７ダンパ（347）を通って給気側流路（333）へ流入し、給気ファン室（336）を通過後に給気口（322）を通って室内へ供給される。
【００９８】
加湿運転時の第２動作について説明する。
【００９９】
この第２動作中の冷媒回路（350）では、図４(Ｂ)に示すように、四方切換弁（354）が第２状態に設定される。そして、この冷媒回路（350）では、除湿運転の第２動作中と同様に、第２吸着熱交換器（352）が凝縮器となって第１吸着熱交換器（351）が蒸発器となる。
【０１００】
図８に示すように、この第２動作中には、第２ダンパ（342）、第３ダンパ（343）、第５ダンパ（345）、及び第８ダンパ（348）が開状態となり、残りのダンパ（341,344,346,347）が閉状態となる。
【０１０１】
内気吸込口（324）から内気側流路（334）へ流入した第１空気は、第３ダンパ（343）を通って第１熱交換器室（337）へ流入し、その後に第１吸着熱交換器（351）を通過する。第１吸着熱交換器（351）では、第１空気中の水分が吸着剤に吸着され、その際に生じた吸着熱が冷媒に吸熱される。第１吸着熱交換器（351）で水分を奪われた第１空気は、第５ダンパ（345）を通って排気側流路（331）へ流入し、排気ファン室（335）を通過後に排気口（321）を通って室外へ排出される。
【０１０２】
一方、外気吸込口（323）から外気側流路（332）へ流入した第２空気は、第２ダンパ（342）を通って第２熱交換器室（338）へ流入し、その後に第２吸着熱交換器（352）を通過する。第２吸着熱交換器（352）では、冷媒で加熱された吸着剤から水分が脱離し、この脱離した水分が第２空気に付与される。第２吸着熱交換器（352）で加湿された第２空気は、第８ダンパ（348）を通って給気側流路（333）へ流入し、給気ファン室（336）を通過後に給気口（322）を通って室内へ供給される。
【０１０３】
以上のように、本実施形態では、コントローラ（21a,21b,21c）によって、上述した第１動作と第２動作との切換動作が制御されるとともに、制御ユニット（12）によって、給気ファン（326）及び排気ファン（325）の動作制御が行われる。また、第１動作及び第２動作において、制御ユニット（12）によって、圧縮機（353）の回転速度が制御される。
【０１０４】
−実施形態１の効果−
本実施形態における換気システム（10）では、同一室内の複数の換気装置（13a,13b,13c）が、１つのＣＯ２検出部（11）によって検出されたＣＯ２濃度に基づいて、各換気装置（13a,13b,13c）の給気量がそれぞれ同じになり、排気量がそれぞれ同じになるように換気風量の制御がなされる。したがって、各換気装置（13a,13b,13c）の換気風量が異なる場合に比べて、低消費電力化を図ることができる。
【０１０５】
一般に、各換気装置に設けられているファンを駆動するための電力は、そのファンの送風量の約３乗に比例する特性を示す。
【０１０６】
ここで、各換気装置（13a,13b,13c）の給気ファン（326）の送風量が、異なる場合と同じである場合とにおいて、各換気装置（13a,13b,13c）の給気ファン（326）の送風量の合計が同じであるとする。例えば、各換気装置（13a,13b,13c）の給気ファン（326）の送風量が異なる場合、それぞれの送風量を単純に“１”，“２”，“３”とする。一方、本実施形態のように、各換気装置（13a,13b,13c）の給気ファン（326）の送風量が同じである場合、各換気装置（13a,13b,13c）の給気ファン（3266）の送風量の合計は“６”であるため、各換気装置（13a,13b,13c）の給気ファン（326）の送風量は、“２”，“２”，“２”となる。
【０１０７】
各換気装置（13a,13b,13c）の給気ファン（326）の送風量が異なる場合、消費電力の合計はおよそ、１＋８＋２７＝３６に比例する。これに対して、本実施形態では、消費電力の合計はおよそ、８＋８＋８＝２４に比例する。尚、各換気装置（13a,13b,13c）の排気ファン（325）についても、上述した給気ファン（326）と同様のことがいえる。
【０１０８】
以上のことから、本実施形態の換気システム（10）によれば、低消費電力化が可能であることがわかる。
【０１０９】
さらに、除湿運転時や加湿運転時において、各換気装置（13a,13b,13c）の圧縮機（353）が同じ回転速度となるように制御されるため、各換気装置（13a,13b,13c）による除湿能力又は加湿能力を統一することができる。したがって、室内の空気を均一的に除湿し又は加湿することができる。
【０１１０】
《発明の実施形態２》
本発明の実施形態２について説明する。本実施形態の換気システム（10）は、上記実施形態１の換気システム（10）と、換気装置（13a,13b,13c）の構成を異にする。つまり、本実施形態の換気システム（10）では、ＣＯ２検出部（11）によるＣＯ２濃度の検出結果に応じた換気風量を示す指令値が、制御ユニット（12）から図９に示す換気装置（13a）に送信される。尚、各換気装置（13a,13b,13c）は同様の構成であるため、ここでは一つの換気装置（13a）の構成について説明する。
【０１１１】
換気装置（13a）は、直方体状で中空のケーシング（100）を備えている。このケーシング（100）では、対向する一対の側面のうちの一方に排気口（102）と外気吸込口（101）とが並んで開口し、他方に内気吸込口（103）と給気口（104）とが並んで開口している。外気吸込口（101）は外気吸込ダクト（16）と連通し、給気口（104）は外気供給ダクト（17a）と連通している。また、内気吸込口（103）は内気吸込ダクト（18a）と連通し、排気口（102）は内気排出ダクト（19）と連通している。
【０１１２】
ケーシング（100）の内部には、内気吸込口（103）に連通する第１排気側流路（105）と、排気口（102）に連通する第２排気側流路（106）と、外気吸込口（101）に連通する第１給気側流路（107）と、給気口（104）に連通する第２給気側流路（108）とが形成されている。第２排気側流路（106）には排気ファン（115）が設置され、第２給気側流路（108）には給気ファン（116）が設置されている。
【０１１３】
ケーシング（100）内には、調湿用部材である全熱交換器（110）が収納されている。この全熱交換器（110）は、室内空気の流れる空気通路と室外空気の流れる空気通路とを複数ずつ備え、室内空気と室外空気の間で熱と水分の授受を行わせるように構成されている。また、全熱交換器（110）は、全体形状が四角柱状に形成されており、その長手方向に延びる側面のうち対向する２つの側面に室内空気の流れる空気通路が、残りの２つの側面に 室外空気の流れる空気通路がそれぞれ開口している。そして、全熱交換器（110）は、室内空気の流れる空気通路が第１排気側流路（105）及び第２排気側流路（106）に連通し、室外空気の流れる空気通路が第１給気側流路（107）及び第２給気側流路（108）に連通する姿勢で設置されている。
【０１１４】
尚、図示しないが、排気ファン（115）及び給気ファン（116）には、それぞれ制御線（15）が接続されている。つまり、本実施形態では、各換気装置（13a,13b,13c）からコントローラ（21a,21b,21c）（図１参照）を省略可能である。排気ファン（115）及び給気ファン（116）は、制御ユニット（12）から送信される指令値に応じた回転速度で回転可能に構成されている。尚、各換気装置（13a,13b,13c）の換気風量、すなわち排気ファン（115）及び給気ファン（116）の回転速度は、２段階以上に切り替え可能であればよい。
【０１１５】
−運転動作−
本実施形態の換気システム（10）の動作について、図１及び図９を参照しながら説明する。
【０１１６】
換気システム（10）を起動すると、ＣＯ２検出部（11）によって室内のＣＯ２濃度が検出されて、その検出結果が信号線（14）を介して制御ユニット（12）に送信される。制御ユニット（12）は、ＣＯ２濃度に応じた指令値を制御線（15）を介して各換気装置（13a,13b,13c）に送信する。
【０１１７】
各換気装置（13a,13b,13c）の排気ファン（115）及び給気ファン（116）は、回転速度が、制御ユニット（12）から送信された指令値となるように作動する。つまり、各換気装置（13a,13b,13c）の排気ファン（115）及び給気ファン（116）はそれぞれ同じ回転速度で回転する。
【０１１８】
排気ファン（115）及び給気ファン（116）の運転が開始されると、外気吸込ダクト（16）を流通して外気吸込口（101）から取り込まれた室外空気（OA）と、内気吸込ダクト（18a,18b,18c）を流通して内気吸込口（103）から取り込まれた室内空気（RA）とが全熱交換器（110）へ送り込まれる。全熱交換器（110）では、送り込まれた室外空気（OA）と室内空気（RA）の間で熱と水分の授受が行われる。
【０１１９】
例えば、冬季に室内を暖房している場合は、室内空気（RA）に比べて室外空気（OA）が低温で乾燥した状態となる。従って、この場合、全熱交換器（110）では、室内空気（RA）中の熱と水分が室外空気へ移動する。そして、全熱交換器（110）で加熱されると同時に加湿された室外空気（OA）が外気供給ダクト（17a,17b,17c）を流通して室内へ供給される一方、全熱交換器（110）を通過した室内空気（RA）が内気排出ダクト（19）を流通して室外へ排出される。
【０１２０】
一方、夏季に室内を冷房している場合は、室内空気（RA）に比べて室外空気（OA）は高温で湿った状態となる。従って、この場合、全熱交換器（110）では、室外空気（OA）中の熱と水分が室内空気（RA）へ移動する。そして、全熱交換器（110）で冷却されると同時に除湿された室外空気（OA）が外気供給ダクト（17a,17b,17c）を流通して室内へ供給される一方、全熱交換器（110）を通過した室内空気（RA）が内気排出ダクト（19）を流通して室外へ排出される。
【０１２１】
換気システム（10）の運転中に室内のＣＯ２濃度が目標範囲の上限値を上回ると、制御ユニット（12）は、各換気装置（13a,13b,13c）に対する指令値を同じだけ増やす。例えば、ファン回転速度が段階的に調節できる場合、制御ユニット（12）は、各換気装置（13a,13b,13c）の排気ファン（115）及び給気ファン（116）の回転速度を１段階引き上げる。これにより、各換気装置（13a,13b,13c）の換気風量が同じだけ増加する。一方、室内のＣＯ２濃度が目標範囲の下限値を下回ると、制御ユニット（12）は、各換気装置（13a,13b,13c）に対する指令値を同じだけ減らす。例えば、ファン回転速度が段階的に調節できる場合、制御ユニット（12）は、各換気装置（13a,13b,13c）の排気ファン（115）及び給気ファン（116）の回転速度を１段階引き下げる。これにより、各換気装置（13a,13b,13c）の換気風量が同じだけ減少する。
【０１２２】
−実施形態２の効果−
本実施形態の換気システム（10）では、同一室内の複数の換気装置（13a,13b,13c）が、１つのＣＯ２検出部（11）によって検出されたＣＯ２濃度に基づいて、同じ換気風量となるように制御される。したがって、各換気装置（13a,13b,13c）の換気風量が異なる場合に比べて、低消費電力化を図ることができる。
【０１２３】
また、各換気装置（13a,13b,13c）の構成を、実施形態１の構成よりも簡略化することができる。
【０１２４】
−実施形態２の変形例１−
上述した実施形態２の換気システム（10）において、各換気装置（13a,13b,13c）に全熱交換器（110）を用いるようにしたが、全熱交換器（110）の代わりに顕熱交換器を用いてもよい。この場合、室外空気（OA）と室内空気（RA）との間で熱が授受される。
【０１２５】
−実施形態２の変形例２−
上記実施形態２では、室内及び室外への送風量が同一となる場合について説明したが、これら送風量が異なっていてもよい。つまり、制御ユニット（12）は、各換気装置（13a,13b,13c）が室内に給気する室外空気の流量が同じになるように、そして、各換気装置（13a,13b,13c）が室外に排気する室内空気の流量が同じになるように、各換気装置（13a,13b,13c）を制御してもよい。この場合、制御ユニット（12）は、給気ファン（116）を制御するための指令値と排気ファン（115）を制御するための指令値とを別々に、各換気装置（13a,13b,13c）に送信すればよい。
【０１２６】
《発明の実施形態３》
本発明の実施形態３について説明する。本実施形態の換気システム（10）は、上記実施形態２の換気システム（10）と、換気装置（13a,13b,13c）の構成を異にする。つまり、本実施形態の換気システム（10）では、ＣＯ２検出部（11）によるＣＯ２濃度の検出結果に応じた換気風量を示す指令値が、制御ユニット（12）から図１０に示す換気装置（13a）に送信される。本実施形態の制御ユニット（12）が行う制御動作は、実施形態２の制御ユニット（12）が行う制御動作と同じである。尚、各換気装置（13a,13b,13c）は同様の構成であるため、ここでは一つの換気装置（13a）の構成について説明する。
【０１２７】
換気装置（13a）は、直方体状で中空のケーシング（210）を備えている。このケーシング（210）は、その内部が排気側流路（215）と給気側流路（216）とに仕切られている。このケーシング（210）では、対向する一対の側面のうちの一方に排気口（212）と外気吸込口（211）とが並んで開口し、他方に内気吸込口（213）と給気口（214）とが並んで開口している。内気吸込口（213）は排気側流路（215）の入口端に、排気口（212）は排気側流路（215）の出口端にそれぞれ接続している。一方、外気吸込口（211）は給気側流路（216）の入口端に、給気口（214）は給気側流路（216）の出口端にそれぞれ接続している。また、外気吸込口（211）は外気吸込ダクト（16）と連通し、給気口（214）は外気供給ダクト（17a）と連通している。また、内気吸込口（213）は内気吸込ダクト（18a）と連通し、排気口（212）は内気排出ダクト（19）と連通している。
【０１２８】
ケーシング（210）の内部には、円板状に形成された吸着素子（220）が調湿用部材として設けられている。吸着素子（220）は、ハニカム状に形成されて厚み方向へ空気が通過可能に構成されており、通過する空気をゼオライト等の吸着剤と接触させる。吸着素子（220）は、排気側流路（215）と給気側流路（216）の両方を横断するように配置され、その中心軸周りに回転駆動される。
【０１２９】
ケーシング（210）内の排気側流路（215）において、吸着素子（220）の上流側には加熱器である第１熱交換器（221）が設置され、吸着素子（220）の下流側には排気ファン（225）が設置されている。ケーシング（210）内の給気側流路（216）において、吸着素子（220）の上流側には加熱器である第２熱交換器（222）が設置され、吸着素子（220）の下流側には給気ファン（226）が設置されている。第１熱交換器（221）及び第２熱交換器（222）は、それぞれが通過する空気を温水と熱交換させるように構成されている。
【０１３０】
尚、図示しないが、排気ファン（225）及び給気ファン（226）には、それぞれ制御線（15）が接続されている。排気ファン（225）及び給気ファン（226）は、制御ユニット（12）から送信される指令値に応じた回転速度で回転可能に構成されている。
【０１３１】
−運転動作−
本実施形態の換気システム（10）の動作について、図１及び図１０を参照しながら説明する。
【０１３２】
換気システム（10）を起動すると、ＣＯ２検出部（11）によって室内のＣＯ２濃度が検出されて、その検出結果が信号線（14）を介して制御ユニット（12）に送信される。制御ユニット（12）は、ＣＯ２濃度に応じた指令値を制御線（15）を介して各換気装置（13a,13b,13c）に送信する。
【０１３３】
各換気装置（13a,13b,13c）の排気ファン（225）及び給気ファン（226）は、回転速度が、制御ユニット（12）から送信された指令値となるように作動する。つまり、各換気装置（13a,13b,13c）の排気ファン（225）及び給気ファン（226）はそれぞれ同じ回転速度で回転する。また、各換気装置（13a,13b,13c）は、除湿運転と加湿運転とを切り換えて行う。除湿運転中や加湿運転中の各換気装置（13a,13b,13c）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の換気装置（13a,13b,13c）は、室内の換気を行っている。
【０１３４】
〈除湿運転〉
除湿運転時には、第１熱交換器（221）へ温水が供給され、第２熱交換器（222）が休止する。この除湿運転では、吸着素子（220）のうち給気側流路（216）を横断する部分についての吸着動作と、吸着素子（220）のうち排気側流路（215）を横断する部分についての再生動作とが同時に並行して行われる。
【０１３５】
給気ファン（226）の運転が開始されると、外気吸込口（211）から給気側流路（216）へ室外空気（OA）が取り込まれる。取り込まれた室外空気（OA）は、休止中の第２熱交換器（222）を通過後に吸着素子（220）へ送られる。吸着素子（220）では、通過する室外空気（OA）中の水分が吸着剤に吸着される。吸着素子（220）で除湿された室外空気（OA）は、給気口（214）を通って供給空気（SA）として室内へ供給される。
【０１３６】
排気ファン（225）の運転が開始されると、内気吸込口（213）から排気側流路（215）へ室内空気（RA）が取り込まれる。取り込まれた室内空気（RA）は、第１熱交換器（221）を通過する間に加熱されてから吸着素子（220）へ送られる。排気側流路（215）へは、吸着素子（220）のうち給気側流路（216）を横断する間に水分を吸着した部分が移動してくる。この吸着素子（220）の部分に担持された吸着剤は、第１熱交換器（221）から供給された室内空気（RA）によって加熱され、この吸着剤から水分が脱離する。吸着剤から脱離した水分を付与された室内空気（RA）は、排気口（212）を通って排出空気（EA）として室外へ排出される。また、吸着素子（220）のうち排気側流路（215）を横断する間に再生された部分は、給気側流路（216）へと移動してゆく。
【０１３７】
〈加湿運転〉
加湿運転時には、第２熱交換器（222）へ温水が供給され、第１熱交換器（221）が休止する。この加湿運転では、吸着素子（220）のうち排気側流路（215）を横断する部分についての吸着動作と、吸着素子（220）のうち給気側流路（216）を横断する部分についての再生動作とが同時に並行して行われる。
【０１３８】
排気ファン（225）の運転が開始されると、内気吸込口（213）から排気側流路（215）へ室内空気（RA）が取り込まれる。取り込まれた室内空気（RA）は、休止中の第１熱交換器（221）を通過後に吸着素子（220）へ送られる。吸着素子（220）では、通過する室内空気（RA）中の水分が吸着剤に吸着される。吸着素子（220）に水分を奪われた室内空気（RA）は、排気口（212）を通って排出空気（EA）として室外へ排出される。
【０１３９】
給気ファン（226）の運転が開始されると、外気吸込口（211）から給気側流路（216）へ室外空気（OA）が取り込まれる。取り込まれた室外空気（OA）は、第２熱交換器（222）を通過する間に加熱されてから吸着素子（220）へ送られる。給気側流路（216）へは、吸着素子（220）のうち排気側流路（215）を横断する間に水分を吸着した部分が移動してくる。この吸着素子（220）の部分に担持された吸着剤は、第２熱交換器（222）から供給された室外空気（OA）によって加熱され、この吸着剤から水分が脱離する。吸着剤から脱離した水分を付与されて加湿された室内空気（SA）は、給気口（214）を通って室内へ供給される。また、吸着素子（220）のうち給気側流路（216）を横断する間に再生された部分は、排気側流路（215）へと移動してゆく。
【０１４０】
−実施形態３における効果−
本実施形態における換気システム（10）は、上記実施形態２における換気システム（10）と略同様の効果を奏する。
【０１４１】
−実施形態３の変形例１−
上記実施形態３では、室内及び室外への送風量が同一となる場合について説明したが、これら送風量が異なっていてもよい。つまり、制御ユニット（12）は、各換気装置（13a,13b,13c）が室内に給気する室外空気の流量が同じになるように、そして、各換気装置（13a,13b,13c）が室外に排気する室内空気の流量が同じになるように、各換気装置（13a,13b,13c）を制御してもよい。この場合、制御ユニット（12）は、給気ファン（216）を制御するための指令値と排気ファン（215）を制御するための指令値とを別々に、各換気装置（13a,13b,13c）に送信すればよい。
【０１４２】
《その他の実施形態》
上記実施形態では、ＣＯ２検出部（11）が検出した室内のＣＯ２濃度に基づいて、各換気装置（13a,13b,13c）の換気風量を制御する構成について説明したが、ＣＯ２検出部（11）を省略してもよい。すなわち、制御ユニット（12）の制御によって各換気装置（13a,13b,13c）の換気風量が同じになるような構成であればよい。
【０１４３】
また、上記実施形態において、ＣＯ２検出部（11）に代えて、図１１に示すように、室内に居る人間の数を感知する人感センサ（20）を設けてもよい。この場合、人感センサ（20）は、室内の人数を制御ユニット（12）に送信し、制御ユニット（12）は、受信した人数に応じた換気風量を示す指令値を、各換気装置（13a,13b,13c）に送信すればよい。これにより、制御ユニット（12）は、室内の人間の数が増えるほど換気風量が大きくなるように各換気装置（13a,13b,13c）を制御することができる。
【０１４４】
また、上記実施形態の換気システム（10）は、室内機などの空調装置を備えていてもよい。この場合、制御ユニット（12）が、上述した人感センサ（20）の出力に応じて各換気装置（13a,13b,13c）を制御することで、空調装置の空調負荷を減らすことができる。具体的には、室内の人数が少ない場合に、各換気装置（13a,13b,13c）の換気風量を大きくすると、外気によって空調装置の空調負荷が大きくなり、消費電力が増大してしまう。これに対して、室内の人数が少ない場合に、各換気装置（13a,13b,13c）の換気風量を小さくすることで、室内への外気の流入が減少するため、空調装置の空調負荷を減らすことができる。すなわち、空調装置の消費電力を削減することができる。
【０１４５】
また、上記実施形態における各換気装置（13a,13b,13c）として、給気ファンのみ、あるいは排気ファンのみを備えた構成としてもよい。各換気装置（13a,13b,13c）が給気ファンのみを備えている場合、室内が自然排気されればよく、逆に、各換気装置（13a,13b,13c）が排気ファンのみを備えている場合、室内が自然給気されればよい。
【０１４６】
尚、上記の実施形態および変形例は、本質的に好ましい例示であって、本発明、その適用物、あるいはその用途の範囲を制限することを意図するものではない。
【産業上の利用可能性】
【０１４７】
以上説明したように、本発明は、複数の換気装置で同一の室内を換気する換気システムについて有用である。
【符号の説明】
【０１４８】
10           換気システム
11           ＣＯ２検出部
12           制御ユニット（制御部）
13a,13b,13c  換気装置
20           人感センサ
350          冷媒回路
351          第１吸着熱交換器
352          第２吸着熱交換器
353          圧縮機
【図１】
0005862266.tif 000002
【図２】
0005862266.tif 000003
【図３】
0005862266.tif 000004
【図４】
0005862266.tif 000005
【図５】
0005862266.tif 000006
【図６】
0005862266.tif 000007
【図７】
0005862266.tif 000008
【図８】
0005862266.tif 000009
【図９】
0005862266.tif 000010
【図１０】
0005862266.tif 000011
【図１１】
0005862266.tif 000012